(57)【要約】【課題】モノクロ印刷時にカラーインクがノズル内で増粘することを回避する。【解決手段】ラインプリンター１０は、用紙を搬送する搬送手段１６と、用紙が搬送される方向に対して交差する方向に並ぶカラーノズル列とブラックノズル列を有し、搬送手段１６により搬送される用紙に向けてカラーノズル列からカラーインクを吐出し、ブラックノズル列からブラックインクを吐出するインクジェットヘッド１Ａ，１Ｂと、カラーノズル列およびブラックノズル列を開閉するキャップ機構３４と、印刷データに基づいて、搬送手段１６、インクジェットヘッド１Ａ，１Ｂおよびキャップ機構３４を制御するコントローラー１００と、を備え、コントローラー１００は、用紙に対してモノクロ印刷する場合に両方のノズル列に対してキャップを開かせブラックインクを吐出させて用紙に印刷用ドットを形成し、カラーインクを吐出させて用紙にフラッシング用ドットを形成する。【選択図】図１
2014100846.tif 000002
【特許請求の範囲】
【請求項１】
媒体を搬送する搬送手段と、
前記媒体が搬送される方向に対して交差する方向に第１の液体を吐出するためのノズル
が並ぶ第１のノズル列と、前記交差する方向に第２の液体を吐出するためのノズルが並ぶ
第２のノズル列とを有するヘッドと、
前記第１のノズル列および前記第２のノズル列を開閉するキャップと、
印刷データに基づいて、前記搬送手段、前記ヘッドおよび前記キャップを制御するコン
トローラーと、を備え、
前記コントローラーは、前記第１の液体の印刷用ドットを前記媒体に形成せずに前記印
刷データの印刷を行うことが指定された場合に、前記第１のノズル列および前記第２のノ
ズル列に対して前記キャップを開かせ、前記ヘッドに前記第２のノズル列から前記第２の
液体を吐出させて前記第２の液体の印刷用ドットを前記媒体に形成し、前記ヘッドに前記
第１のノズル列から前記第１の液体を吐出させて前記第１の液体のフラッシング用ドット
を前記媒体に形成する、液体吐出装置。
【請求項２】
請求項１に記載の液体吐出装置において、
前記コントローラーは、前記第１の液体の印刷用ドットを前記媒体に形成せずに前記印
刷データの印刷を行うことが指定され、かつ、指定された印刷枚数が所定枚数以下である
場合に、前記第１の液体のフラッシング用ドットを前記媒体に形成しない、液体吐出装置
。
【請求項３】
請求項１乃至２のいずれかに記載の液体吐出装置において、
前記第２の液体は前記第１の液体よりも水分量が少ない特性を有し、
前記コントローラーは、前記第１の液体の印刷用ドットを前記媒体に形成せずに前記印
刷データの印刷を行うことが指定され、かつ、指定された印刷枚数が所定枚数以下である
場合に、前記第２の液体のフラッシング用ドットを前記媒体に形成する、液体吐出装置。
【請求項４】
請求項１乃至３のいずれか１項に記載の液体吐出装置において、
前記コントローラーは、前記第１のノズル列および前記第２のノズル列に対して前記キ
ャップを閉じる少なくとも直前の前記媒体に、前記第１の液体のフラッシング用ドットを
形成しない、液体吐出装置。
【請求項５】
請求項１乃至４のいずれか１項に記載の液体吐出装置において、
前記コントローラーは、前記ヘッドに前記媒体に向けて液体を吐出させてフラッシング
用ドットを前記媒体に形成する第１のフラッシングと、前記ヘッドに非媒体に向けて液体
を吐出させる第２のフラッシングとを制御する、液体吐出装置。
【請求項６】
請求項５に記載の液体吐出装置において、
前記コントローラーは、前記第１のフラッシングおよび前記第２のフラッシングを、択
一的に制御し、
第１の媒体に対する印刷が指定された場合における、前記第１のフラッシングによる液
体の吐出量に対する前記第２のフラッシングによる液体の吐出量の割合は、第２の媒体に
対する印刷が指定された場合における、前記第１のフラッシングによる液体の吐出量に対
する前記第２のフラッシングによる液体の吐出量の割合よりも、大きく、
前記第１の媒体は、前記第２の媒体よりも、前記交差する方向の大きさが小さく、前記
搬送される方向の大きさが等しい、液体吐出装置。
【請求項７】
請求項１乃至６のいずれか１項に記載の液体吐出装置において、
前記コントローラーは、前記媒体が搬送される速度に応じて、フラッシング用ドットの
形成の制御を変える、液体吐出装置。
【請求項８】
請求項１乃至７のいずれか１項に記載の液体吐出装置において、
前記コントローラーは、前記印刷データの印刷を第１のモードにて行うか、第２のモー
ドにて行うかを指定されることができ、
前記第１のモードは、前記第１の液体の印刷用ドットを前記媒体に形成せず、前記第２
の液体の印刷用ドットを前記媒体に形成するモードであり、
前記第２のモードは、前記第１の液体の印刷用ドットを前記媒体に形成し、前記第２の
液体の印刷用ドットを前記媒体に形成するモードである、液体吐出装置。
【発明の詳細な説明】
【技術分野】
【０００１】
本発明は、液体吐出装置に関する。
【背景技術】
【０００２】
カラー印刷可能なインクジェット方式のラインプリンターにおいて、印刷ヘッドのノズ
ル内のインクの増粘を防止し、かつ吐出性能を良好に維持することを目的として、下記特
許文献１に示すように、ノズルから定期的にインク滴を吐出させるフラッシングが行われ
る。このようなフラッシングは、印刷領域から離れたメンテナンス位置において印刷ヘッ
ドのノズル口をキャップに対向させて行う方法が知られている。
【先行技術文献】
【特許文献】
【０００３】
【特許文献１】特開２０１０−１０５３０６号公報
【発明の概要】
【発明が解決しようとする課題】
【０００４】
しかしながら、例えばモノクロ印刷時にはカラーインクは使用されないため、カラーイ
ンクがノズル内で増粘し、カラー印刷時にカラーインク滴の吐出が不安定になって印刷品
質が低下することがあった。また、フラッシングする場合にはキャップをノズルと対向さ
せる必要があるため、それぞれのキャップの移動操作や開閉操作が必要となることからキ
ャップの制御が複雑になると共に、キャップを切り替えてフラッシングを行うため、ノズ
ルを切り替えてフラッシングするのに要する時間が長くなることから印刷のスループット
が低下した。
【課題を解決するための手段】
【０００５】
本発明は、上述の課題の少なくとも一部を解決するためになされたものであり、以下の
形態又は適用例として実現することが可能である。
【０００６】
［適用例１］
本適用例にかかる液体吐出装置は、媒体を搬送する搬送手段と、前記媒体が搬送される
方向に対して交差する方向に第１の液体を吐出するためのノズルが並ぶ第１のノズル列と
、前記交差する方向に第２の液体を吐出するためのノズルが並ぶ第２のノズル列とを有す
るヘッドと、前記第１のノズル列および前記第２のノズル列を開閉するキャップと、印刷
データに基づいて、前記搬送手段、前記ヘッドおよび前記キャップを制御するコントロー
ラーと、を備え、前記コントローラーは、前記第１の液体の印刷用ドットを前記媒体に形
成せずに前記印刷データの印刷を行うことが指定された場合に、前記第１のノズル列およ
び前記第２のノズル列に対して前記キャップを開かせ、前記ヘッドに前記第２のノズル列
から前記第２の液体を吐出させて前記第２の液体の印刷用ドットを前記媒体に形成し、前
記ヘッドに前記第１のノズル列から前記第１の液体を吐出させて前記第１の液体のフラッ
シング用ドットを前記媒体に形成する。
【０００７】
このような構成によれば、コントローラーは、第１のノズル列および第２のノズル列の
キャップの開閉を制御し、第１の液体の印刷用ドットを媒体に形成せずに印刷データの印
刷を行うことが指定された場合に、第１のノズル列と第２のノズル列のキャップを開かせ
、第２の液体の印刷用ドットと第１の液体のフラッシング用ドットとを媒体に形成する。
従って、第１の液体の印刷用ドットを媒体に形成せずに印刷データの印刷を行うことが指
定された場合であっても第１のノズル列でフラッシングが実行されるため、第１の液体の
増粘を回避できる。さらに、第１の液体の印刷用ドットを媒体に形成せずに印刷データの
印刷を行うことが指定された場合に、第１のノズル列および第２のノズル列に対してキャ
ップを開かせるため、キャップの制御が容易になる。また、フラッシング用ドットを媒体
に形成することにより、第１のノズル列でのフラッシングを行うので、キャップの開閉を
伴ってフラッシングを行う場合と比較すると、印刷データの印刷のスループット向上を図
れる。
【０００８】
［適用例２］
上記適用例にかかる液体吐出装置において、前記コントローラーは、前記第１の液体の
印刷用ドットを前記媒体に形成せずに前記印刷データの印刷を行うことが指定され、かつ
、指定された印刷枚数が所定枚数以下である場合に、前記第１の液体のフラッシング用ド
ットを前記媒体に形成しない。
【０００９】
このような構成によれば、第１の液体の印刷用ドットを媒体に形成せずに印刷データの
印刷を行うことが指定された場合であっても、印刷枚数が所定枚数以下であれば、例外的
に第１の液体のフラッシング用ドットを媒体に形成しない。よって、フラッシング用ドッ
トが印刷結果に与えうる影響を低減することができる。
【００１０】
［適用例３］
上記適用例にかかる液体吐出装置において、前記第２の液体は前記第１の液体よりも水
分量が少ない特性を有し、前記コントローラーは、前記第１の液体の印刷用ドットを前記
媒体に形成せずに前記印刷データの印刷を行うことが指定され、かつ、指定された印刷枚
数が所定枚数以下である場合に、前記第２の液体のフラッシング用ドットを前記媒体に形
成する。
【００１１】
このような構成によれば、第１の液体の特性と第２の液体の特性との違いに応じて、そ
れぞれに適当なタイミングでフラッシングを行うことができる。よって、第１の液体が第
２の液体よりも増粘しやすいとしても、第１の液体の増粘を回避できる。
【００１２】
［適用例４］
上記適用例にかかる液体吐出装置において、前記コントローラーは、前記第１のノズル
列および前記第２のノズル列に対して前記キャップを閉じる少なくとも直前の前記媒体に
、前記第１の液体のフラッシング用ドットを形成しない。
【００１３】
このような構成によれば、第１のノズル列および第２のノズル列に対してキャップを閉
じることでそれぞれの増粘の進行を低減することができる。また、キャップを閉じる少な
くとも直前の媒体について、フラッシング用ドットが印刷結果に与えうる影響を低減する
ことができる。なお、フラッシング用ドットを形成しない媒体の枚数は１枚に限る必要は
なく、複数枚であってもよい。また、キャップを閉じた後に、キャップに液体を吐出して
も良いし、しなくてもよい。
【００１４】
［適用例５］
上記適用例にかかる液体吐出装置において、前記コントローラーは、前記ヘッドに前記
媒体に向けて液体を吐出させてフラッシング用ドットを前記媒体に形成する第１のフラッ
シングと、前記ヘッドに非媒体に向けて液体を吐出させる第２のフラッシングとを制御す
る。
【００１５】
このような構成によれば、コントローラーが指定された印刷に応じて、それぞれのフラ
ッシングを制御することができる。なお、第１のノズル列および第２のノズル列が媒体に
ドットを形成する位置にある場合には、第１のフラッシングを行う方が、第２のフラッシ
ングよりも、印刷データの印刷のスループット向上を図れる。また、第２のフラッシング
の方が、第１のフラッシングよりも、フラッシングが印刷結果に与えうる影響を低減する
ことができる。
【００１６】
［適用例６］
上記適用例にかかる液体吐出装置において、前記コントローラーは、前記第１のフラッ
シングおよび前記第２のフラッシングを、択一的に制御し、第１の媒体に対する印刷が指
定された場合における、前記第１のフラッシングによる液体の吐出量に対する前記第２の
フラッシングによる液体の吐出量の割合は、第２の媒体に対する印刷が指定された場合に
おける、前記第１のフラッシングによる液体の吐出量に対する前記第２のフラッシングに
よる液体の吐出量の割合よりも、大きく、前記第１の媒体は、前記第２の媒体よりも、前
記交差する方向の大きさが小さく、前記搬送される方向の大きさが等しい。
【００１７】
このような構成によれば、印刷される媒体の大きさに応じて、第１のフラッシングおよ
び第２のフラッシングの制御を変更することができる。なお、第１の媒体の場合には、第
２のフラッシングの吐出量が相対的に多いので、フラッシングが印刷結果に与えうる影響
を低減することができる。また、第２の媒体の場合には、第１のフラッシングの吐出量が
相対的に多いので、印刷データの印刷のスループット向上を図れる。なお、択一的に制御
するという場合に、第１のフラッシングと第２のフラッシングとの両者を同時に行わなけ
ればよい。
【００１８】
［適用例７］
上記適用例にかかる液体吐出装置において、前記コントローラーは、前記媒体が搬送さ
れる速度に応じて、フラッシング用ドットの形成の制御を変える。
【００１９】
このような構成によれば、例えば、媒体の搬送速度が相対的に速い場合と相対的に遅い
場合とを比較したとして、（１）フラッシング用ドットを媒体に形成するか否か、（２）
媒体にフラッシンウ用ドットを形成する第１のフラッシングと非媒体に液体を吐出する第
２のフラッシングとを行う場合に、第１フラッシングの吐出量に対する第２フラッシング
の吐出量を相対的に少なくするか相対的に多くするか、などに制御を変えることができる
。
【００２０】
［適用例８］
上記適用例にかかる液体吐出装置において、前記コントローラーは、前記印刷データの
印刷を第１のモードにて行うか、第２のモードにて行うかを指定されることができ、前記
第１のモードは、前記第１の液体の印刷用ドットを前記媒体に形成せず、前記第２の液体
の印刷用ドットを前記媒体に形成するモードであり、前記第２のモードは、前記第１の液
体の印刷用ドットを前記媒体に形成し、前記第２の液体の印刷用ドットを前記媒体に形成
するモードである。
【００２１】
このような構成によれば、印刷用ドットを媒体に形成する液体を容易に指定することが
できる。
【図面の簡単な説明】
【００２２】
【図１】本発明の実施形態に係るラインプリンターの概略構成図。
【図２】モノクロ印刷で用紙の搬送速度が通常よりも速い場合のフラッシング条件を示す図。
【図３】モノクロ印刷で用紙の搬送速度が通常の場合のフラッシング条件を示す図。
【図４】モノクロ印刷で用紙の搬送速度が通常よりも遅い場合のフラッシング条件を示す図。
【図５】カラー印刷で用紙の搬送速度が通常よりも速い場合のフラッシング条件を示す図。
【図６】カラー印刷で用紙の搬送速度が通常の場合のフラッシング条件を示す図。
【図７】カラー印刷で用紙の搬送速度が通常よりも遅い場合のフラッシング条件を示す図。
【図８】ラインプリンターの印刷処理を説明するフローチャート。
【発明を実施するための形態】
【００２３】
以下、本発明の実施形態について図面を参照して説明する。
【００２４】
（実施形態）
本実施形態では、液体吐出装置として、図１に概略構成を示すラインプリンター１０を
想定する。ラインプリンター１０は、ラインヘッドに備えられた複数のインクジェットヘ
ッドのノズルから媒体である用紙に向かってインクを滴状に吐出することで印刷を行う印
刷装置である。ラインヘッドとは、用紙の幅方向（主走査方向）に走査することなく印刷
できるように、幅方向全体にわたりノズルを配置した印刷用のヘッドのことである。
本実施形態では、ラインヘッドは、ブラック（Ｋ）のインク滴を吐出するブラックノズ
ル列を有するインクジェットヘッド１Ａ（図１）と、シアン（Ｃ）、マゼンタ（Ｍ）、イ
エロー（Ｙ）のインク滴をそれぞれ吐出するカラーノズル列を有するインクジェットヘッ
ド１Ｂ（図１）を備える。これらのインクジェットヘッド（１Ａ，１Ｂ）は、同一構造を
有しており、主走査方向に沿って延在し、主走査方向と交差して用紙が搬送される副走査
方向には互いに平行かつ等間隔に配置されている。各インクジェットヘッド１Ａ，１Ｂの
下面は、複数の吐出口が配列された吐出面を有している。なお、インクジェットヘッド１
Ａ，１Ｂは別体に限らず、一体型でもよい。
【００２５】
ラインプリンター１０は、印刷を行うためのハードウェアとして、何れも図示を略した
、インクカートリッジ、印刷ヘッド等を備える。
また、印刷を制御するためのハードウェアとして、何れも図示を略した、ＣＰＵ、ＲＡ
Ｍ、ＲＯＭ、フラッシュメモリー、操作パネルおよびインターフェイス等を備える。ＣＰ
Ｕは、ＲＯＭやフラッシュメモリーに記憶されているプログラムをＲＡＭに読み出して実
行する。
【００２６】
ラインプリンター１０は、印刷処理を制御するコントローラー１００を備える。コント
ローラー１００は、搬送制御部１３０、画像処理部１３１、ヘッド制御部１３２、印字モ
ード判定部１３３、フラッシング制御部１３６およびメンテナンス制御部１３７を備える
。これらの機能部は、上述したハードウェアとソフトウェアとが協働することで機能を実
現する。
搬送制御部１３０は、図示を略した給紙トレイに積層して収納された複数枚の用紙の中
から、１枚毎に用紙を抽出する搬送ユニット１０１、および抽出された用紙を搬送方向に
沿って搬送する搬送手段１６の動作を制御する。尚、搬送手段１６は搬送モーターの回転
に応じて用紙を搬送方向に送る無端ベルトを想定する。
【００２７】
印字モード判定部１３３は、ラインプリンター１０と接続されたホストコンピューター
（図示は略す。）から送信される画像の印刷データを解析し、ＣＭＹＫのインクを用いて
、ＣＭＹＫの印刷用ドットを用紙に形成するカラー印字モード、及び、ブラックのインク
を用いてブラックの印刷用ドットを用紙に形成するモノクロ印字モードの何れかを判定す
る。
画像処理部１３１は、判定したモードがカラー印字モードかモノクロ印字モードの何れ
かに応じて、ハーフトーン（Ｈ／Ｔ）処理を行うことで、印刷データ（ＣＭＹＫデータ）
を各インクのドット配置パターンに変換する。更に、画像処理部１３１は、ドット配置パ
ターンに基づいて各インクのドットデータとしての吐出データを生成する。
ヘッド制御部１３２は、吐出データに基づいて各インクジェットヘッド１Ａ，１Ｂを駆
動させることによって、所望の体積のインク滴を所望のタイミングで吐出口から吐出させ
る。
また、ヘッド制御部１３２は、印字モード判定部１３３がカラー印字モードを行うと判
定した場合、画像処理部１３１が生成した吐出データに基づいて、すべてのインクジェッ
トヘッド１Ａ，１Ｂを駆動する。一方で、ヘッド制御部１３２は、印字モード判定部１３
３がモノクロ印字モードを行うと判定した場合、画像処理部１３１が生成した吐出データ
に基づいて、ブラックインク滴を吐出するインクジェットヘッド１Ａを駆動させる。
【００２８】
フラッシング制御部１３６は、各インクジェットヘッド１Ａ，１Ｂの吐出口からインク
滴を吐出させる吐出フラッシングが行われるように、各インクジェットヘッド１Ａ，１Ｂ
を制御する。なお、吐出口から用紙上に吐出された吐出フラッシングによる１つのインク
滴が非常に小さなインク滴であれば、例えばインク滴が用紙に着弾したとしてもインク滴
は肉眼では認識できない程度のものになる。
本実施形態では、吐出フラッシングは、用紙に対してインク滴を吐出し、フラッシング
用ドットを用紙に形成する第１のフラッシング（以降、紙面ＦＬと呼ぶ。）と、キャップ
や他の部材のような用紙以外（非媒体）に対してインク滴を吐出する第２のフラッシング
（以降、非紙面ＦＬと呼ぶ。）と、を想定する。
【００２９】
メンテナンス制御部１３７は、吐出フラッシングを行う場合、ヘッド昇降機構３３によ
るインクジェットヘッド１Ａ，１Ｂの昇降動作、および、キャップ機構３４によるキャッ
プ（図示は略す。）の開閉動作を制御する。尚、本実施形態では、非紙面ＦＬ時には、イ
ンクジェットヘッド１Ａ，１Ｂを印刷位置から上方に移動させるための動作が必要である
ため、印刷位置での紙面ＦＬよりも時間を所要する。
また、本実施形態では、キャップは凹部を有する弾性部材であって、キャップの閉動作
が指示された場合、凹部の先端がインクジェットヘッド１Ａ，１Ｂの吐出面に当接するこ
とによって、ＣＭＹＫの全ての吐出口を一括に覆うことができる。他方で、キャップの開
動作が指示された場合、吐出面に当接した弾性部材が退避し、ＣＭＹＫの全ての吐出口に
対してキャップを一括に開くことができる。キャップが開かれると、ＣＭＹＫの吐出口か
ら吐出されたインク滴は用紙まで到達できる。尚、弾性部材はＣＭＹ吐出口用とＫ吐出口
用として別体に形成され、インクジェットヘッド１Ａ，１Ｂの昇降動作を共通にすること
で、キャップの動作をＣＭＹＫ一括に行う態様も想定できる。
【００３０】
上述した各機能部を有するコントローラー１００は、印字モード判定部１３３がモノク
ロ印字モードを行うと判定した場合、所定の条件に応じてＣＭＹインク（カラーインク）
の増粘を回避すべく、フラッシング制御部１３６およびメンテナンス制御部１３７に対し
てインクジェットヘッド１Ｂからカラーインクによる紙面ＦＬを指示する。
即ち、キャップが開くことによりインクジェットヘッド１Ａ，１ＢからＣＭＹＫのイン
クが何れも用紙まで到達可能になり、コントローラー１００は、画像処理部１３１が生成
した吐出データに基づいてインクジェットヘッド１Ａを駆動させ、ブラックインク滴を吐
出させて印刷用ドットを用紙に形成する。更に、所定のフラッシングデータに基づいてイ
ンクジェットヘッド１Ｂを駆動させ、カラーインク滴が吐出されてフラッシング用ドット
を用紙に形成する。
【００３１】
本実施形態では、印刷用ドットとフラッシング用ドットとを媒体に形成するために、用
紙の搬送速度に基づいて、Ｈ／Ｔ処理され生成された吐出データに、カラーインク滴を吐
出する時間間隔を示すタイミングチャートに基づくフラッシング用ドットのデータを付加
した吐出データによりインク滴を吐出する態様であるが、印刷用ドットとフラッシング用
ドットとを媒体に形成するために、以下のような態様も想定できる。
（１）Ｈ／Ｔ処理されたドット配置パターンに、フラッシング用のドット配置パターン
を論理和して合成パターンデータを生成し、各インクのドットデータとしての合成パター
ンデータに従い各インク滴を吐出する。
（２）フラッシング用ドットが予め定められたタイミングで媒体に形成されるように設
計されたＨ／Ｔ処理を印刷データに対して行って生成した吐出データに従い各インク滴を
吐出する。
【００３２】
次に、図２〜図７を用いて、紙面ＦＬまたは非紙面ＦＬを適用する所定の条件について
説明する。尚、図２〜図７の各項目の詳細は後述する。
図２から図７において、紙面ＦＬの考え方として、キャップ開からキャップ閉の時間が
短ければ、紙面ＦＬせずにキャップを行う。これは、キャップすれば非紙面ＦＬしても良
いし、キャップ内の温度が高く増粘が進まないためである。但し、次のような場合は例外
として処理する。
（Ｂ−４）や（Ａ−１０４）のような場合は、ブラックインクの粘度がカラーよりも高
いからである。また、（Ｃ−１）、（Ｃ−２）、（Ｃ−５）、（Ｃ−６）、（Ｃ−１０１
）、（Ｃ−１０２）、（Ｃ−１０５）および（Ｃ−１０６）は、搬送速度が遅いからであ
る。
【００３３】
また、紙面ＦＬを判定するページ数は搬送速度によって判定する閾値を変えている。ま
た、非紙面ＦＬ時には、非紙面ＦＬを行うインクジェットヘッド（１Ａ，１Ｂ）の昇降処
理を行うため、スループットが低下する、従って、（Ａ−７）や（Ａ−１０）のように、
非紙面ＦＬはできる限り回避する。但し、紙幅との関係で、（Ｃ−１０）や（Ｃ−１４）
のように紙幅が狭く、かつ、搬送速度が遅い場合には非紙面ＦＬを行う。また、（Ｃ−１
１）、（Ｃ−１２）、（Ｃ−１５）および（Ｃ−１６）のように、紙面ＦＬも非紙面ＦＬ
も行う場合に、紙幅の違いを非紙面ＦＬの吐出量で調整する。これは、紙面ＦＬの吐出量
で調整すると、印刷結果に影響を与え得るからからである。
また、（Ａ−１０９）や（Ａ−１１２）のように、カラー印刷の際にモノクロ印刷より
も多めに吐出するのは、一般的にカラー印刷の際にはモノクロ印刷の際よりも吐出量が多
いので乾燥時間を考慮して搬送スピードが遅く設定し、より多くのフラッシングをする必
要があるからである。なお、図２〜図７の各モードにおいて、カラー印刷の搬送速度のそ
れぞれ（速い、通常、遅い）は、対応するモノクロ印刷の搬送速度のそれぞれ（速い、通
常、遅い）よりも、遅く設定している。
【００３４】
図２は、モノクロ印刷において、用紙の搬送速度が通常よりも速い場合のフラッシング
条件を示す。この図２では、搬送速度が通常の場合よりも速いため、処理する印刷ジョブ
の印刷ページ数が１〜３ページの場合と、４ページ以上の場合に分類した。また、印刷ペ
ージ数が４ページ以上の場合、用紙の大きさがラインヘッドのノズル幅に等しい、即ち、
印刷領域がラインヘッドの列幅いっぱい（第２の大きさ）の場合と、列幅の一部（第１の
大きさ）の場合に分類した。なお、搬送速度が速い場合や遅い場合とは互いに相対的な関
係でいう。
【００３５】
また、図３は、モノクロ印刷において、用紙の搬送速度が通常の場合のフラッシング条
件を示す。図３では、処理する印刷ジョブの印刷ページ数が１ページの場合と、複数ペー
ジの場合とに分類した。
図３における（Ｂ−１）に示すように、用紙に対してモノクロ印刷が指定され、かつ、
印刷が１ページの場合、インクジェットヘッド１Ｂからカラーインク滴を吐出させない。
従って、用紙にフラッシング用ドットは形成されない。他方で、（Ｂ−２）および（Ｂ−
３）に示すように、用紙に対してモノクロ印刷が指定され、かつ、印刷が複数ページの場
合、インクジェットヘッド１Ｂからカラーインク滴を吐出させて用紙にフラッシング用ド
ットを形成する。
図４は、モノクロ印刷において、用紙の搬送速度が通常よりも遅い場合のフラッシング
条件を示す。
【００３６】
同様に、図５〜図７は、カラー印刷におけるフラッシング条件を示す。図５は用紙の搬
送速度が通常よりも速い場合のフラッシング条件を示し、図６は用紙の搬送速度が通常の
場合のフラッシング条件を示し、図７は用紙の搬送速度が通常よりも遅い場合のフラッシ
ング条件を示す。
本実施例においては、ブラックインクはカラーインクよりも水分量が少ない特性を有し
ているとする。よって、図３における（Ｂ−４）および図４における（Ｃ−５）のように
、用紙への印刷をモノクロで行うことが指定され、かつ、印刷を１ページのみ行うことが
指定された場合には、インクジェットヘッド１Ａからブラックインク滴を吐出させること
で用紙にフラッシング用ドットが形成される。
【００３７】
また、図２における（Ａ−８）、（Ａ−９）、（Ａ−１１）および（Ａ−１２）、図４
における（Ｃ−１１）、（Ｃ−１２）、（Ｃ−１５）および（Ｃ−１６）、図７における
（Ｃ−１１１）、（Ｃ−１１２）、（Ｃ−１１５）および（Ｃ−１１６）に示すように、
ラインヘッドのノズル列の方向が第１の大きさの用紙に対して印刷を行うことが指定され
た場合、ノズル列の方向が第１の大きさよりも大きい第２の大きさであって、指定されう
る最大の大きさである第２の大きさの用紙に対して印刷を行うことが指定された場合より
も、紙面ＦＬに対する非紙面ＦＬの割合は大きくなる。
また、図４における（Ｃ−１）および図７における（Ｃ−１０１）に示すように、搬送
手段１６の搬送速度が第１の速度である場合、インクジェットヘッド１Ｂからカラーイン
ク滴を吐出させることで用紙にフラッシング用ドットが形成される。他方で、搬送手段１
６の搬送速度が第１の速度よりも速い第２の速度である場合、インクジェットヘッド１Ｂ
からカラーインク滴を吐出させない。従って、用紙にフラッシング用ドットは形成されな
い。
上述した図２〜図７で示すフラッシング条件の情報は、テーブルデータとしてＲＯＭ等
に記憶されており、ＣＰＵが必要に応じて参照し、フラッシングを実行するか、否かを決
定する。
【００３８】
尚、用紙上に吐出されたドットが印刷用ドットであるか、フラッシング用ドットである
かは、以下の方法で判定できる。
（１）同じ画像を複数部数の用紙に対して印刷した場合に、インクの色および配置が共
通するドットが印刷用であり、インクの色および配置が共通しないドットがフラッシング
用であるとみなしてもよい。
（２）（Ｃ、Ｍ、Ｙ、Ｋ）＝（Ｘ、Ｘ、Ｘ、０）の画像をモノクロ印刷した場合のドッ
トと、カラー印刷した場合のドットとを照合し、インクの色および配置が共通するドット
がフラッシング用であり、インクの色および配置が共通しないドットが印刷用であるとみ
なしてもよい。なお、ここでＸは、０以上２５５以下の任意の数字をいい、Ｃ，Ｍ，Ｙで
共通の値を取る必要はない。また、値が大きくなるほど、媒体に向けてインクが吐出され
やすいとする。
（３）同じ画像を搬送方向の長さのみが異なる用紙に対して印刷した場合、インクの色
および配置が共通するドットが印刷用であり、インクの色および配置が共通しないドット
がフラッシング用であるとみなしてもよい。
【００３９】
次に、図２〜図７について詳述する。図２において、（Ａ−１）および（Ａ−４）は、
ジョブが終わってキャップできるので、その際にフラッシングすればよいため紙面ＦＬは
行わない。また、（Ａ−２）、（Ａ−３）、（Ａ−５）および（Ａ−６）は、ジョブが終
わらないので紙面ＦＬを行う。また、（Ａ−７）および（Ａ−１０）は、ジョブ後にキャ
ップを行うため非紙面ＦＬは行わない。また、（Ａ−８）および（Ａ−１１）は、紙幅が
列幅いっぱいあるため、紙面ＦＬで間に合うから非紙面ＦＬは行わない。また、（Ａ−９
）および（Ａ−１２）は、紙幅が列幅いっぱいないため、紙面ＦＬで間に合わないため非
紙面ＦＬを行う。
【００４０】
また、図３において、（Ｂ−１）は、ジョブが終わってキャップできるので、その際に
フラッシングすればよいため紙面ＦＬは行わない。また、（Ｂ−２）、（Ｂ−３）、（Ｂ
−５）および（Ｂ−６）は、ジョブが終わらないので紙面ＦＬを行う。また、（Ｂ−４）
は、カラーインクとブラックインクで水分量が異なり、カラーインクで紙面ＦＬを要しな
くても、ブラックインクで紙面ＦＬを要するため紙面ＦＬを行う。また、（Ｂ−７）およ
び（Ｂ−１０）は、ジョブ後にキャップを行うため非紙面ＦＬは行わない。また、（Ｂ−
８）および（Ｂ−１１）は、紙幅が列幅いっぱいあるため、紙面ＦＬで間に合うから非紙
面ＦＬは行わない。また、（Ｂ−９）および（Ｂ−１２）は、紙幅が列幅いっぱいないた
め、紙面ＦＬで間に合わないため非紙面ＦＬを行う。
【００４１】
また、図４において、（Ｃ−１）および（Ｃ−５）は、搬送速度が遅いので、ジョブが
終わる前にフラッシングを行いたいので紙面ＦＬを行う。また、（Ｃ−２）、（Ｃ−３）
、（Ｃ−４）、（Ｃ−６）、（Ｃ−７）および（Ｃ−８）は、ジョブが終わらないので紙
面ＦＬを行う。また、（Ｃ−９）および（Ｃ−１３）は、紙幅が列幅いっぱいあるため、
紙面ＦＬで間に合うから非紙面ＦＬは行わない。また、（Ｃ−１０）および（Ｃ−１４）
は、紙幅が列幅いっぱいないため、紙面ＦＬで間に合わないため非紙面ＦＬを行う。また
、（Ｃ−１１）および（Ｃ−１５）は、紙幅が列幅いっぱいであり、紙面ＦＬで間に合わ
ないにせよ、多分に紙面ＦＬできるため（Ｃ−１２）や（Ｃ−１６）よりも少なめにする
。また、（Ｃ−１２）および（Ｃ−１６）は、紙幅が列幅いっぱいないため、紙面ＦＬで
間に合わない分も含めて（Ｃ−１１）や（Ｃ−１５）よりも多めにする。
【００４２】
また、図５において、（Ａ−１０１）は、ジョブが終わってキャップできるので、その
際にフラッシングすればよいため紙面ＦＬは行わない。また、（Ａ−１０２）、（Ａ−１
０３）、（Ａ−１０５）および（Ａ−１０６）は、ジョブが終わらないので紙面ＦＬを行
う。また、（Ａ−１０４）は、カラーインクとブラックインクで水分量が異なり、カラー
インクで紙面ＦＬを要しなくても、ブラックインクで紙面ＦＬを要するため紙面ＦＬを行
う。また、（Ａ−１０７）および（Ａ−１１０）は、ジョブ後にキャップを行うため非紙
面ＦＬは行わない。また、（Ａ−１０８）および（Ａ−１１１）は、紙幅が列幅いっぱい
あるため、紙面ＦＬで間に合うから非紙面ＦＬは行わない。また、（Ａ−１０９）および
（Ａ−１１２）は、紙幅が列幅いっぱいないため、紙面ＦＬで間に合わないため非紙面Ｆ
Ｌを行う。
【００４３】
また、図６において、（Ｂ−１０１）は、ジョブが終わってキャップできるので、その
際にフラッシングすればよいため紙面ＦＬは行わない。また、（Ｂ−１０２）、（Ｂ−１
０３）、（Ｂ−１０５）および（Ｂ−１０６）は、ジョブが終わらないので紙面ＦＬを行
う。また、（Ｂ−１０４）は、カラーインクとブラックインクで水分量が異なり、カラー
インクで紙面ＦＬを要しなくても、ブラックインクで紙面ＦＬを要するため紙面ＦＬを行
う。また、（Ｂ−１０７）および（Ｂ−１１０）は、ジョブ後にキャップを行うため非紙
面ＦＬは行わない。また、（Ｂ−１０８）および（Ｂ−１１１）は、紙幅が列幅いっぱい
あるため、紙面ＦＬで間に合うから非紙面ＦＬは行わない。また、（Ｂ−１０９）および
（Ｂ−１１２）は、紙幅が列幅いっぱいないため、紙面ＦＬで間に合わないため非紙面Ｆ
Ｌを行う。
【００４４】
また、図７において、（Ｃ−１０１）および（Ｃ−１０５）は、搬送速度が遅いので、
ジョブが終わる前にフラッシングを行いたいので紙面ＦＬを行う。また、（Ｃ−１０２）
、（Ｃ−１０３）、（Ｃ−１０４）、（Ｃ−１０６）、（Ｃ−１０７）および（Ｃ−１０
８）は、ジョブが終わらないので紙面ＦＬを行う。また、（Ｃ−１０９）および（Ｃ−１
１３）は、紙幅が列幅いっぱいあるため、紙面ＦＬで間に合うから非紙面ＦＬは行わない
。また、（Ｃ−１１０）および（Ｃ−１１４）は、紙幅が列幅いっぱいないため、紙面Ｆ
Ｌで間に合わないため非紙面ＦＬを行う。また、（Ｃ−１１１）および（Ｃ−１１５）は
、紙幅が列幅いっぱいであり、紙面ＦＬで間に合わないにせよ、多分に紙面ＦＬできるた
め（Ｃ−１１２）や（Ｃ−１１６）よりも少なめにする。また、（Ｃ−１１２）および（
Ｃ−１１６）は、紙幅が列幅いっぱいないため、紙面ＦＬで間に合わない分も含めて（Ｃ
−１１１）や（Ｃ−１１５）よりも多めにする。
【００４５】
図８は、ラインプリンター１０のモノクロによる印刷処理を説明するフローチャートで
ある。最初に、印刷すべき画像のデータが入力される（ステップＳ２００）。
コントローラー１００のＣＰＵは、画像のデータに含まれる情報、例えば、解像度に基
づく用紙の搬送速度、印刷枚数等に基づいて図２〜図７で示すフラッシング条件の情報を
参照し、実行するフラッシングのモードを判定する（ステップＳ２０２）。
次に、コントローラー１００のＣＰＵは、判定したモードに従い、フラッシングを行う
ためのドットデータを生成する（ステップＳ２０４）。
【００４６】
尚、ドットデータの作成は、前記したいずれの方法でも良い。
次に、コントローラー１００のＣＰＵは、生成したドットデータに基づいて、インクジ
ェットヘッド１Ａまたはインクジェットヘッド１Ｂからインク滴を吐出して用紙に対して
画像を印刷すると共に、フラッシングのモードに応じてインクジェットヘッド１Ａまたは
インクジェットヘッド１Ｂからフラッシングを行い（ステップＳ２０６）、印刷処理を終
了する。
印刷処理が終了すると、インクジェットヘッド１Ａおよびインクジェットヘッド１Ｂに
対して一括してキャップが閉められる。キャップが閉められた後、キャップ内にインクを
吐出してもよいししなくてもよい。いずれにせよ、キャップを行うことで、増粘の進行を
低減することができる。
【００４７】
以上述べた実施形態によれば、以下のような効果を奏する。
（１）ラインプリンター１０は、モノクロ印刷を行う場合であっても、所定の条件に応
じてカラーインクのフラッシングを行うため、モノクロ印刷中にカラーインクが増粘し、
カラー印刷時にカラーインク滴の吐出が不安定になって印刷品質が低下することを回避で
きる。
（２）キャップはインクジェットヘッド１Ａ，１Ｂのカラーとブラックの吐出口を一括
に覆うため、カラーインクによるフラッシングとブラックインクによるフラッシングの切
り替えが容易になるため、印刷処理のスループットの向上を図れると共に、キャップの構
造を簡略化でき、ラインプリンター１０の小型化や軽量化を図れる。
【００４８】
＜変形例１＞
以上述べた実施形態によれば、印字モード判定部１３３がモノクロ印字モードを行うと
判定した場合にカラーインクによる紙面ＦＬを指示した。しかし、モノクロ印字モードを
行う場合に、カラーインクによる紙面ＦＬに加え、ブラックインクによる紙面ＦＬも指示
してもよい。この場合、カラーインクの増粘を回避できるだけでなく、ブラックインクの
増粘も回避できる。特に、吐出データがどのような頻度でインク滴を吐出されるかに係ら
ず紙面ＦＬを指示することで、増粘を有意に回避できる。また、カラー印字モードを行う
場合であっても、カラーインクによる紙面ＦＬやブラックインクによる紙面ＦＬを行って
もよい。
【００４９】
＜変形例２＞
以上述べた実施形態および変形例によれば、コントローラー１００は、モノクロ印字モ
ードを行うのかカラー印字モードを行うのかの印字モード判定部１３３の判定の結果に基
づいて、インクジェットヘッド１Ａまたは１ＢからＣＭＹＫのいずれのインク滴を吐出す
るかを選択した。
しかし、ラインプリンター１０が印刷に用いる液体はＣＭＹＫのインクに限られない。
例えば、用紙へのＣＭＹＫのインク滴の浸透度を低下させる機能液を吐出するインクジェ
ットヘッドを備えていてもよい。機能液は、ＣＭＹＫのインクと反応することで、ＣＭＹ
Ｋのインクの濃度を向上させるような機能を有していてもよい。これらの場合、ＣＭＹＫ
のインク滴を吐出するインクジェットヘッド１Ａ，１Ｂと機能液を吐出するインクジェッ
トヘッド１Ｃとに対して、キャップ機構３４がキャップの動作を一括に行うことで、キャ
ップの構造を簡略化してもよい。ラインプリンター１０の小型化や軽量化を図れる。キャ
ップの動作を一括に行うには、インクジェットヘッド１Ａ，１Ｂ，１Ｃが一体に形成され
、これらの全ての吐出口をキャップが一括に覆う態様でもよく、あるいは、インクジェッ
トヘッド１Ａ，１Ｂ，１Ｃが別体に形成され、これらに対するキャップの開閉の動作を一
括に行う態様でもよい。
【００５０】
さらに、印字モード判定部１３３が、当該機能液とＣＭＹＫのインクとを用いるモード
を行うのか、当該機能液を用いずにＣＭＹＫのインクを用いるモードを行うのかを判定し
、コントローラー１００が、少なくとも後者の場合には、機能液による紙面ＦＬを指示し
てもよい。この場合、機能液の増粘を回避できる。加えて、コントローラー１００は、機
能液による紙面ＦＬの指示の全部または一部に代えて、非紙面ＦＬの指示を行ってもよい
。この場合、機能液が印刷結果に与え得る影響を低減することができる。
【００５１】
＜変形例３＞
以上述べた実施形態および変形例によれば、搬送速度が速いモノクロ印字モードの場合
（図２の場合）に、コントローラー１００は、印刷ジョブの印刷ページ（印刷枚数）が３
ページ以下か４ページ以上かに応じてカラーインクによる紙面ＦＬを指示しないか否かを
変えたが、閾値となるページ数はこれに限られず、例えばこれより小さい値を閾値に設定
してもよい。また、閾値となるページ数を、用紙の搬送方向のサイズを考慮して設定して
もよい。具体的には、搬送方向のサイズが大きい用紙と小さい用紙とを比べた場合に、後
者の用紙では前者の用紙よりも当該閾値が大きく設定されていてもよい。フラッシング用
ドットが印刷結果に与え得る影響を低減することができる。他のモードも同様である。
また、以上述べた実施形態によれば、当該モードの場合に、コントローラー１００は、
印刷ジョブの印刷ページが３ページ以下であれば、３ページ全てについてカラーインクに
よる紙面ＦＬを指示しなかった。が、１、２ページ目にはカラーインクによる紙面ＦＬを
指示し、３ページ目にはカラーインクによる紙面ＦＬを指示しなくてもよい。すなわち、
キャップを閉じる少なくとも直前の媒体である３ページ目には少なくともカラーインクに
より紙面ＦＬを指示しなくてもよい。もちろん、３ページ目だけでなく２ページ目にもカ
ラーインクによる紙面ＦＬを指示しなくてもよい。さらに、紙面ＦＬを行うことを考慮し
て閾値となるページ数を設定してもよい。この場合、印刷ジョブの内容に応じて閾値とな
るページ数を設定でき、それに応じて液体の増粘を回避できる。ここで、直前の媒体とは
、用紙がカット紙であることを前提に、印刷位置にあるインクジェットヘッドが、印刷位
置からメンテナンス位置や非ＦＬ位置へ移動し始める時よりも前に、印刷を完了した用紙
のことを言い、少なくともカット紙１枚は該当する。
【００５２】
＜変形例４＞
以上述べた実施形態および変形例によれば、搬送速度が速いモノクロ印字モードの場合
（図２の場合）に、コントローラー１００は、紙幅が列幅いっぱいか列幅の一部かに応じ
て非紙面ＦＬを指示しないか否かを変えたが、ラインプリンター１０が印刷可能な最大幅
の用紙か否かに応じて非紙面ＦＬを指示しないか否かを変えてもよい。具体的には、ライ
ンプリンター１０に接続されたホストコンピューターが、複数種類の紙幅の印刷データを
送信可能であり、コントローラー１００は、印刷データにより指定された紙幅が、複数種
類の紙幅のうちの最大幅であれば非紙面ＦＬを指示せず、複数種類の紙幅のうちの最大幅
でなければ非紙面ＦＬを指示してもよい。非紙面ＦＬを指示しないことで、印刷データの
印刷のスループット向上を図れる。
【００５３】
＜変形例５＞
以上述べた実施形態および変形例によれば、コントローラー１００は、非紙面ＦＬをキ
ャップや他の部材に対するインク滴の吐出により行うことで、紙面ＦＬと非紙面ＦＬとが
同時に行われないように、択一的に指示した。が、非紙面ＦＬを無端ベルトに対するイン
ク滴の吐出により行うことで、紙面ＦＬと非紙面ＦＬとが同時に行われるように、非択一
的に指示してもよい。非紙面ＦＬをキャップに対するインク滴の吐出により行う場合には
、フラッシング用ドットが印刷結果に与え得る影響を低減することができる。
＜変形例６＞
以上述べた実施形態および変形例によれば、搬送速度が遅いモノクロ印字モードの場合
（図４の場合）であって、印刷ジョブが複数ページに対する印刷の場合に、コントローラ
ー１００は、用紙の紙幅に応じて非紙面ＦＬの吐出量を変えた。かかる場合に、用紙の紙
幅が異なると紙面ＦＬできるノズル数も異なるので、紙面ＦＬの吐出量を特定する場合に
は、実際に紙面ＦＬした吐出量を全ノズル数で割った平均的な吐出量により、紙面ＦＬの
吐出量を特定してもよい。
＜変形例７＞
以上述べた実施形態および変形例によれば、インクジェットヘッド１Ａ，１Ｂ，１Ｃの
全てに対してキャップが開かれたままでインクジェットヘッド１Ａにより印刷用ドットが
形成されるならば、キャップ機構３４がキャップの動作を一括に行う構成に代えて、イン
クジェットヘッド１Ａ，１Ｂ，１Ｃに対して、キャップ機構３４がキャップの動作を個別
に行ってもよい。また、当該場合に、インクジェットヘッド１Ｃのみに対してキャップを
行ってもよい。いずれの場合であっても、フラッシング用ドットを形成することにより、
印刷用ドットの形成を行わないインクジェットヘッドの増粘を回避することができる。
以上のような手法を実施する装置は、単独の装置によって実現される場合もあれば、複
数の装置を組み合わせることによって実現される場合もあり、方法、プログラム、プログ
ラムを記載した媒体など、各種の態様を含むものである。
各実施形態における各構成及びそれらの組み合わせは一例であり、本発明の趣旨から逸
脱しない範囲内で、構成の付加、省略、置換およびその他の変更が可能である。また、本
発明は実施形態では限定されるものではなく、クレームの範囲によってのみ限定される。
【符号の説明】
【００５４】
１Ａ，１Ｂ…インクジェットヘッド、１０…ラインプリンター、１６…搬送手段、３３
…ヘッド昇降機構、３４…キャップ機構、１００…コントローラー、１０１…搬送ユニッ
ト、１３０…搬送制御部、１３１…画像処理部、１３２…ヘッド制御部、１３３…印字モ
ード判定部、１３６…フラッシング制御部、１３７…メンテナンス制御部。
【図１】
2014100846.tif 000003
【図２】
2014100846.tif 000004
【図３】
2014100846.tif 000005
【図４】
2014100846.tif 000006
【図５】
2014100846.tif 000007
【図６】
2014100846.tif 000008
【図７】
2014100846.tif 000009
【図８】
2014100846.tif 000010